(57)【特許請求の範囲】
【請求項１】
画像データを入力する画像入力手段と、前記画像入力手段により入力された画像データを記憶可能な第１の記憶手段および第２の記憶手段と、を備えた画像処理装置であって、
前記第１の記憶手段のデータの記憶量が所定量を超えた場合に、
操作手段を介してユーザから受付けた、優先度の高いデータを前記第１記憶手段から前記第２の記憶手段へ転送する為の、第１の設定に基づいた優先度の高いデータを、
前記第１の記憶手段から前記第２の記憶手段へ転送させ、
且つ、
該第１の記憶手段の該優先度の高いデータを該第１の記憶手段から削除させる、制御手段と、を備え、
前記画像処理装置は、
前記第１の記憶手段のデータの記憶量が前記所定量を超えていない場合で且つ前記第１の記憶手段から前記第２の記憶手段に転送したデータが存在する場合に、
前記第１の記憶手段から転送されたデータであり、且つ、前記第１の設定をユーザから受付ける前記操作手段と同じ操作手段を介してユーザから受付けた、優先度の高いデータを前記第２の記憶手段から前記第１の記憶手段へ転送する為の、第２の設定に基づいた優先度の高いデータを、
前記第２の記憶手段から前記第１の記憶手段へ転送させ、且つ、
該第２の記憶手段からの該優先度の高いデータを該第１の記憶手段に記憶させる、
ことを特徴とする画像処理装置。
【請求項２】
画像データを入力する画像入力手段と、前記画像入力手段により入力された画像データを記憶可能な記憶手段と、外部装置とデータ通信を行う通信手段と、を備えた画像処理装置であって、
前記画像処理装置が具備する前記記憶手段のデータの記憶量が所定量を超えた場合に、
操作手段を介してユーザから受付けた、優先度の高いデータを前記記憶手段から前記外部装置へ転送する為の、第１の設定に基づいた優先度の高いデータを、
前記画像処理装置が具備する前記記憶手段から前記外部装置へ転送させ、
且つ、
前記画像処理装置の前記記憶手段の該優先度の高いデータを該記憶手段から削除させる、制御手段と、を備え、
前記画像処理装置は、
前記画像処理装置が具備する前記記憶手段のデータの記憶量が前記所定量を超えていない場合で且つ前記画像処理装置から前記外部装置に転送したデータが存在する場合に、
前記画像処理装置から転送されたデータであり、且つ、前記第１の設定をユーザから受付ける前記操作手段と同じ操作手段を介してユーザから受付けた、優先度の高いデータを前記外部装置から前記画像処理装置へ転送する為の、第２の設定に基づいた優先度の高いデータを、
前記外部装置から前記画像処理装置へ転送させ、且つ、
該外部装置からの該優先度の高いデータを前記画像処理装置が具備する前記記憶手段に記憶させる、
ことを特徴とする画像処理装置。
【請求項３】
前記画像処理装置は、原稿読取手段及び外部装置の少なくとも何れかから入力される画像データのプリントを行うプリント手段を更に具備し、
前記第１の設定も前記第２の設定も、前記画像処理装置の操作手段を介してユーザにより実行可能にする、ことを特徴とする請求項１又は２に記載の画像処理装置。
【請求項４】
前記画像処理装置は、原稿読取手段及び外部装置の少なくとも何れかから入力される画像データのプリントを行うプリント手段を更に具備し、
前記第１の設定も前記第２の設定も、前記外部装置の操作手段を介してユーザにより実行可能にする、ことを特徴とする請求項１乃至３の何れか一項に記載の画像処理装置。
【請求項５】
前記プリント手段によりプリントされた画像データを、再出力する設定がなされていない場合に、前記画像処理装置の記憶手段から削除させることを特徴とする請求項３又は４に記載の画像処理装置。
【請求項６】
前記操作手段を介してユーザにより実行される前記第１の設定も前記第２の設定も、転送すべきデータの優先順位を設定する為の設定である、ことを特徴とする請求項１乃至５の何れか一項に記載の画像処理装置。
【請求項７】
前記操作手段を介してユーザにより実行される前記第１の設定も前記第２の設定も、日付に関する優先順位の設定、使用頻度に関する優先順位の設定、サイズに関する優先順位の設定、の何れの設定である、ことを特徴とする請求項１乃至６の何れか一項に記載の画像処理装置。
【請求項８】
前記所定量を、前記操作手段を介してユーザにより予め設定可能にする、ことを特徴とする請求項１乃至７の何れか一項に記載の画像処理装置。
【請求項９】
画像データを入力する画像入力手段と、前記画像入力手段により入力された画像データを記憶可能な第１の記憶手段および第２の記憶手段と、を備えた画像処理装置の制御方法であって、
前記第１の記憶手段のデータの記憶量が所定量を超えた場合に、
操作手段を介してユーザから受付けた、優先度の高いデータを前記第１記憶手段から前記第２の記憶手段へ転送する為の、第１の設定に基づいた優先度の高いデータを、
前記第１の記憶手段から前記第２の記憶手段へ転送させ、且つ、
該第１の記憶手段の該優先度の高いデータを該第１の記憶手段から削除させ、
前記制御方法は、
前記第１の記憶手段のデータの記憶量が前記所定量を超えていない場合で且つ前記第１の記憶手段から前記第２の記憶手段に転送したデータが存在する場合に、
前記第１の記憶手段から転送されたデータであり、且つ、前記第１の設定をユーザから受付ける前記操作手段と同じ操作手段を介してユーザから受付けた、優先度の高いデータを前記第２記憶手段から前記第１の記憶手段へ転送する為の、第２の設定に基づいた優先度の高いデータを、
前記第２の記憶手段から前記第１の記憶手段へ転送させ、且つ、
該第２の記憶手段からの該優先度の高いデータを該第１の記憶手段に記憶させる、
ことを特徴とする画像処理装置の制御方法。
【請求項１０】
画像データを入力する画像入力手段と、前記画像入力手段により入力された画像データを記憶可能な記憶手段と、外部装置とデータ通信を行う通信手段と、を備えた画像処理装置の制御方法であって、
前記画像処理装置が具備する前記記憶手段のデータの記憶量が所定量を超えた場合に、
操作手段を介してユーザから受付けた、優先度の高いデータを前記記憶手段から前記外部装置へ転送する為の、第１の設定に基づいた優先度の高いデータを、
前記画像処理装置が具備する前記記憶手段から前記外部装置へ転送させ、且つ、
前記画像処理装置の前記記憶手段の該優先度の高いデータを該記憶手段から削除させ、
前記制御方法は、
前記画像処理装置が具備する前記記憶手段のデータの記憶量が前記所定量を超えていない場合で且つ前記画像処理装置から前記外部装置に転送したデータが存在する場合に、
前記画像処理装置から転送されたデータであり、且つ、前記第１の設定をユーザから受付ける前記操作手段と同じ操作手段を介してユーザから受付けた、優先度の高いデータを前記外部装置から前記画像処理装置へ転送する為の、第２の設定に基づいた優先度の高いデータを、
前記外部装置から前記画像処理装置へ転送させ、且つ、
該外部装置からの該優先度の高いデータを前記画像処理装置が具備する前記記憶手段に記憶させる、
ことを特徴とする画像処理装置の制御方法。
【請求項１１】
前記画像処理装置は、原稿読取手段及び外部装置の少なくとも何れかから入力される画像データのプリントを行うプリント手段を更に具備し、
前記第１の設定も前記第２の設定も、前記画像処理装置の操作手段を介してユーザにより実行可能にする、ことを特徴とする請求項９又は１０に記載の画像処理装置の制御方法。
【請求項１２】
前記画像処理装置は、原稿読取手段及び外部装置の少なくとも何れかから入力される画像データのプリントを行うプリント手段を更に具備し、
前記第１の設定も前記第２の設定も、前記外部装置の操作手段を介してユーザにより実行可能にする、ことを特徴とする請求項９乃至１１の何れか一項に記載の画像処理装置の制御方法。
【請求項１３】
前記プリント手段によりプリントされた画像データを、再出力する設定がなされていない場合に、前記画像処理装置の記憶手段から削除させることを特徴とする請求項１１又は１２に記載の画像処理装置の制御方法。
【請求項１４】
前記操作手段を介してユーザにより実行される前記第１の設定も前記第２の設定も、転送すべきデータの優先順位を設定する為の設定である、ことを特徴とする請求項９乃至１３の何れか一項に記載の画像処理装置の制御方法。
【請求項１５】
前記操作手段を介してユーザにより実行される前記第１の設定も前記第２の設定も、日付に関する優先順位の設定、使用頻度に関する優先順位の設定、サイズに関する優先順位の設定、の何れの設定である、ことを特徴とする請求項９乃至１４の何れか一項に記載の画像処理装置の制御方法。
【請求項１６】
前記所定量を、前記操作手段を介してユーザにより予め設定可能にする、ことを特徴とする請求項９乃至１５の何れか一項に記載の画像処理装置の制御方法。
【発明の詳細な説明】
【０００１】
【発明の属する技術分野】
本発明は、複写機や、ファクシミリあるいはプリンタ等の画像処理装置およびその制御方法に関するものである。
【０００２】
【従来の技術】
従来の複写機やプリンタでは、画像を蓄積するためのメモリやハードディスクが一杯になってしまうと、新たな画像データを受け付けなかった。
【０００３】
【発明が解決しようとする課題】
しかしながらそのような場合、メモリやハードディスクに空きができるまで、クライアントからの処理を持たせることになり、クライアントであるユーザや他のホストコンピュータの処理を中断させることになり、プリントの生産性を低下させていた。
【０００４】
本発明は、以上のような局面にかんがみてなされたもので、上記問題点を解消するための手段の提供を目的としている。
【０００５】
【課題を解決するための手段】
このため、本発明は、以下の各項（１）〜（１６）のいずれかに示す画像処理装置および画像処理装置の制御方法の提供により、前記目的を達成しようとするものである。
（１）画像データを入力する画像入力手段と、前記画像入力手段により入力された画像データを記憶可能な第１の記憶手段および第２の記憶手段と、を備えた画像処理装置であって、前記第１の記憶手段のデータの記憶量が所定量を超えた場合に、操作手段を介してユーザから受付けた、優先度の高いデータを前記第１記憶手段から前記第２の記憶手段へ転送する為の、第１の設定に基づいた優先度の高いデータを、前記第１の記憶手段から前記第２の記憶手段へ転送させ、且つ、該第１の記憶手段の該優先度の高いデータを該第１の記憶手段から削除させる、制御手段と、を備え、前記画像処理装置は、前記第１の記憶手段のデータの記憶量が前記所定量を超えていない場合で且つ前記第１の記憶手段から前記第２の記憶手段に転送したデータが存在する場合に、前記第１の記憶手段から転送されたデータであり、且つ、前記第１の設定をユーザから受付ける前記操作手段と同じ操作手段を介してユーザから受付けた、優先度の高いデータを前記第２の記憶手段から前記第１の記憶手段へ転送する為の、第２の設定に基づいた優先度の高いデータを、前記第２の記憶手段から前記第１の記憶手段へ転送させ、且つ、該第２の記憶手段からの該優先度の高いデータを該第１の記憶手段に記憶させる、ことを特徴とする画像処理装置。
（２）画像データを入力する画像入力手段と、前記画像入力手段により入力された画像データを記憶可能な記憶手段と、外部装置とデータ通信を行う通信手段と、を備えた画像処理装置であって、前記画像処理装置が具備する前記記憶手段のデータの記憶量が所定量を超えた場合に、操作手段を介してユーザから受付けた、優先度の高いデータを前記記憶手段から前記外部装置へ転送する為の、第１の設定に基づいた優先度の高いデータを、前記画像処理装置が具備する前記記憶手段から前記外部装置へ転送させ、且つ、前記画像処理装置の前記記憶手段の該優先度の高いデータを該記憶手段から削除させる、制御手段と、を備え、前記画像処理装置は、前記画像処理装置が具備する前記記憶手段のデータの記憶量が前記所定量を超えていない場合で且つ前記画像処理装置から前記外部装置に転送したデータが存在する場合に、前記画像処理装置から転送されたデータであり、且つ、前記第１の設定をユーザから受付ける前記操作手段と同じ操作手段を介してユーザから受付けた、優先度の高いデータを前記外部装置から前記画像処理装置へ転送する為の、第２の設定に基づいた優先度の高いデータを、前記外部装置から前記画像処理装置へ転送させ、且つ、該外部装置からの該優先度の高いデータを前記画像処理装置が具備する前記記憶手段に記憶させる、ことを特徴とする画像処理装置。
（３）前記画像処理装置は、原稿読取手段及び外部装置の少なくとも何れかから入力される画像データのプリントを行うプリント手段を更に具備し、前記第１の設定も前記第２の設定も、前記画像処理装置の操作手段を介してユーザにより実行可能にする、ことを特徴とする前項（１）又は（２）に記載の画像処理装置。
（４）前記画像処理装置は、原稿読取手段及び外部装置の少なくとも何れかから入力される画像データのプリントを行うプリント手段を更に具備し、前記第１の設定も前記第２の設定も、前記外部装置の操作手段を介してユーザにより実行可能にする、ことを特徴とする前項（１）乃至（３）の何れか一項に記載の画像処理装置。
（５）前記プリント手段によりプリントされた画像データを、再出力する設定がなされていない場合に、前記画像処理装置の記憶手段から削除させることを特徴とする前項（３）又は（４）に記載の画像処理装置。
（６）前記操作手段を介してユーザにより実行される前記第１の設定も前記第２の設定も、転送すべきデータの優先順位を設定する為の設定である、ことを特徴とする前項（１）乃至（５）の何れか一項に記載の画像処理装置。
（７）前記操作手段を介してユーザにより実行される前記第１の設定も前記第２の設定も、日付に関する優先順位の設定、使用頻度に関する優先順位の設定、サイズに関する優先順位の設定、の何れの設定である、ことを特徴とする前項（１）乃至（６）の何れか一項に記載の画像処理装置。
（８）前記所定量を、前記操作手段を介してユーザにより予め設定可能にする、ことを特徴とする前項（１）乃至（７）の何れか一項に記載の画像処理装置。
（９）画像データを入力する画像入力手段と、前記画像入力手段により入力された画像データを記憶可能な第１の記憶手段および第２の記憶手段と、を備えた画像処理装置の制御方法であって、前記第１の記憶手段のデータの記憶量が所定量を超えた場合に、操作手段を介してユーザから受付けた、優先度の高いデータを前記第１記憶手段から前記第２の記憶手段へ転送する為の、第１の設定に基づいた優先度の高いデータを、前記第１の記憶手段から前記第２の記憶手段へ転送させ、且つ、該第１の記憶手段の該優先度の高いデータを該第１の記憶手段から削除させ、前記制御方法は、前記第１の記憶手段のデータの記憶量が前記所定量を超えていない場合で且つ前記第１の記憶手段から前記第２の記憶手段に転送したデータが存在する場合に、前記第１の記憶手段から転送されたデータであり、且つ、前記第１の設定をユーザから受付ける前記操作手段と同じ操作手段を介してユーザから受付けた、優先度の高いデータを前記第２記憶手段から前記第１の記憶手段へ転送する為の、第２の設定に基づいた優先度の高いデータを、前記第２の記憶手段から前記第１の記憶手段へ転送させ、且つ、該第２の記憶手段からの該優先度の高いデータを該第１の記憶手段に記憶させる、ことを特徴とする画像処理装置の制御方法。
（１０）画像データを入力する画像入力手段と、前記画像入力手段により入力された画像データを記憶可能な記憶手段と、外部装置とデータ通信を行う通信手段と、を備えた画像処理装置の制御方法であって、前記画像処理装置が具備する前記記憶手段のデータの記憶量が所定量を超えた場合に、操作手段を介してユーザから受付けた、優先度の高いデータを前記記憶手段から前記外部装置へ転送する為の、第１の設定に基づいた優先度の高いデータを、前記画像処理装置が具備する前記記憶手段から前記外部装置へ転送させ、且つ、前記画像処理装置の前記記憶手段の該優先度の高いデータを該記憶手段から削除させ、前記制御方法は、前記画像処理装置が具備する前記記憶手段のデータの記憶量が前記所定量を超えていない場合で且つ前記画像処理装置から前記外部装置に転送したデータが存在する場合に、前記画像処理装置から転送されたデータであり、且つ、前記第１の設定をユーザから受付ける前記操作手段と同じ操作手段を介してユーザから受付けた、優先度の高いデータを前記外部装置から前記画像処理装置へ転送する為の、第２の設定に基づいた優先度の高いデータを、前記外部装置から前記画像処理装置へ転送させ、且つ、該外部装置からの該優先度の高いデータを前記画像処理装置が具備する前記記憶手段に記憶させる、ことを特徴とする画像処理装置の制御方法。
（１１）前記画像処理装置は、原稿読取手段及び外部装置の少なくとも何れかから入力される画像データのプリントを行うプリント手段を更に具備し、前記第１の設定も前記第２の設定も、前記画像処理装置の操作手段を介してユーザにより実行可能にする、ことを特徴とする前項（９）又は（１０）に記載の画像処理装置の制御方法。
（１２）前記画像処理装置は、原稿読取手段及び外部装置の少なくとも何れかから入力される画像データのプリントを行うプリント手段を更に具備し、前記第１の設定も前記第２の設定も、前記外部装置の操作手段を介してユーザにより実行可能にする、ことを特徴とする前項（９）乃至（１１）の何れか一項に記載の画像処理装置の制御方法。
（１３）前記プリント手段によりプリントされた画像データを、再出力する設定がなされていない場合に、前記画像処理装置の記憶手段から削除させることを特徴とする前項（１１）又は（１２）に記載の画像処理装置の制御方法。
（１４）前記操作手段を介してユーザにより実行される前記第１の設定も前記第２の設定も、転送すべきデータの優先順位を設定する為の設定である、ことを特徴とする前項（９）乃至（１３）の何れか一項に記載の画像処理装置の制御方法。
（１５）前記操作手段を介してユーザにより実行される前記第１の設定も前記第２の設定も、日付に関する優先順位の設定、使用頻度に関する優先順位の設定、サイズに関する優先順位の設定、の何れの設定である、ことを特徴とする前項（９）乃至（１４）の何れか一項に記載の画像処理装置の制御方法。
（１６）前記所定量を、前記操作手段を介してユーザにより予め設定可能にする、ことを特徴とする前項（９）乃至（１５）の何れか一項に記載の画像処理装置の制御方法。
【００２０】
【作用】
以上のような本発明構成により、前記従来例における諸問題を解決して、プリントの生産性の低下を防止することができる。
【００２１】
【発明の実施の形態】
以下に、本発明の実施の形態を、複数の実施例に基づき、図面を参照して詳細に説明する。
【００２２】
【実施例】
（第１実施例）
図１に、本発明の第１実施例の画像入出力装置の構成ブロック図を示す。
【００２３】
同図において、１０１はデジタル複写機本体であり、操作部１０２、リーダ部１０３、プリンタ部１０４から構成される。操作部１０２は、デジタル複写機本体１０１及び画像入出力制御部１０５を操作するために使用する。リーダ部１０３は、原稿の画像を読み取り、原稿画像に応じた画像データを画像入出力制御部１０５へ出力する。画像入出力制御部１０５へ出力された画像データは、制御部１０９を介してハードディスク１０８または画像記憶メモリ１１２に一時的に保存される。
【００２４】
プリンタ部１０４は、画像入出力制御部１０５を介して、ハードディスク１０８または画像記憶メモリ１１２から取出した画像データに応じた画像を、記録紙上に記録する。ハードディスク１０８または画像記憶メモリ１１２から取出した画像データは、画像データを再出力する設定がない場合は、ハードディスク１０８または画像記憶メモリ１１２から削除される。
【００２５】
画像入出力制御部１０５は、リーダ部１０３に接続されており、ファクシミリ部１０６、コンピュータインタフェース部１０７、ハードディスク１０８、制御部１０９、画像記憶メモリ１１２から構成される。
【００２６】
ファクシミリ部１０６は、電話回線を介して受信した圧縮画像データを伸長して、伸長された画像データを制御部１０９へ転送し、又、制御部１０９から転送された画像データを圧縮して、圧縮された圧縮画像データを、電話回線を介して送信する。ファクシミリ部１０６により受信した圧縮画像データは、ハードディスク１０８または画像記憶メモリ１１２に一時的に保存することができる。
【００２７】
コンピュータインタフェース１０７は、パーソナルコンピュータ又はワークステーション（ＰＣ／ＷＳ）１１０または、ネットワークスキャナ１１１と制御部１０９の間のインターフェイスであり、ＰＣ／ＷＳ１１０から転送された画像を表すコードデータ（ＰＤＬ）と、ネットワークスキャナ１１１からの画像データをプリンタ部１０４で記録できる画像データに展開して、制御部１０９を介してハードディスク１０８または画像記憶メモリ１１２に記録する。制御部１０９は、リーダ部１０３、ファクシミリ部１０６、コンピュータインタフェース部１０７、ハードディスク１０８、画像記憶メモリ１１２のそれぞれの間のデータの流れを制御するものである。
【００２８】
図２は、リーダ部１０３及びプリンタ部１０４の断面図を示す。
【００２９】
リーダ部１０３の原稿給送装置２０１は、原稿を最終順に１枚ずつプラテンガラス２０２上へ給送し、原稿の読み取り動作終了後、プラテンガラス２０２上の原稿を排出するものである。原稿がプラテンガラス２０２上に搬送されると、ランプ２０３を点灯し、そしてスキャナユニット２０４の移動を開始させて、原稿を露光走査する。この時の原稿からの反射光は、各ミラー２０５、２０６、２０７、及びレンズ２０８によって、ＣＣＤイメージセンサ（以下、ＣＣＤと呼ぶ）２０９へ導かれる。このように、走査された原稿の画像はＣＣＤ２０９によって読み取られ、ＣＣＤ２０９から出力される画像データは、所定の処理が施された後、図１に示す画像入出力制御部１０５の制御部１０９へ転送される。
【００３０】
プリンタ部１０４のレーザドライバ２２１は、レーザ発光部２１０を駆動するものであり、画像入出力制御部１０５から出力された画像データに応じたレーザ光をレーザ発光部２１０に発光させる。このレーザ光は、感光ドラム２１１に照射され、感光ドラム２１１にはレーザ光に応じた潜像が形成される。この感光ドラム２１１の潜像の部分には、現像器２１２によって現像剤が付着される。そして、レーザ光の照射開始と同期したタイミングで、カセット２１３及びカセット２１４のいずれかから記録紙を給紙して転写部２１５へ搬送し、感光ドラム２１１に付着された現像剤を記録紙に転写する。
【００３１】
現像剤の乗った記録紙は定着部２１６に搬送され、定着部２１６の熱と圧力により現像剤は記像紙に定着される。定着部２１６を通過した記録紙は排出ローラ２１７によって排出され、ソータ２２０は排出された記録紙をそれぞれのビンに収納して記録紙の仕分けをしたり、仕分けされた記録紙のステイプルを行う。なお、ソータ２２０は仕分けが設定されていない場合は、最上ビンに記録紙を収納する。
【００３２】
また、両面記録が設定されている場合は、排出ローラ２１７のところまで記録紙を搬送した後、排出ローラ２１７の回転方向を逆転させ、フラッパ２１８によって再給紙搬送路２１９へ導く。多重記録が設定されている場合は、記録紙を排出ローラ２１７まで搬送しないように、フラッパ２１８によって再給紙搬送路２１９へ導く。再給紙搬送路２１９へ導かれた記録紙は上述したタイミングで転写部２１５へ給紙される。
【００３３】
図３は、デジタル複写機の操作部１０２（図１）のキー配列図を示す。
【００３４】
３０１は、主電源ランプであり、電源オン時に点灯する。図示せぬ電源スイッチは、本体の側面に配置され、本体への通電を制御する。３０２は、予熱キーであり、予熱モードのＯＮ／ＯＦＦに使用する。３０３は、コピーモードキーであり、複数の機能の中からコピーモードを選択するときに使用する。３０４は、ファックスモードキーであり、複数の機能の中からファックスモードを選択するときに使用する。３０５は、プリントキーであり、複写機をプリンタとして使用する際の機能の設定やプリント状況を表示するときに使用する。
【００３５】
３０６は、コピースタートキーであり、コピーの開始を指示するときに用いるキーである。３０７はストップキーであり、コピーを中断したり、中止したりするときに用いるキーである。
【００３６】
３０８は、リセットキーで、スタンバイ中は標準モードに復帰させるキーとして動作する。３０９は、ガイドキーであり、各機能を知りたいときに使用するキーである。３１０は、ユーザモードキーであり、ユーザがシステムの基本設定を変更するときに使用する。３１１は、割り込みキーであり、コピー中に割り込みしてコピーしたいときに用いる。３１２は、テンキーであり、数値の入力を行うときに使用する。３１３はクリアキーであり、数値をクリアするときに用いる。
【００３７】
３１４は、２０個のワンタッチ・ダイヤル・キーであり、ファクシミリ送信において、ワンタッチでダイヤルする時に使用する。３１５は、２枚組の蓋であり、ワンタッチ・ダイヤル・キー３１４の各キー部分がくり抜かれ形状の２重の蓋になっている。不図示のセンサスイッチにより、２枚の蓋が閉じられた第１の状態、１枚目の蓋だけが開いた第２の状態、及び２枚の蓋が開いた第３の状態を検出する。これら３種類の蓋の開閉状態と組み合わせで、ワンタッチ・ダイヤル・キー３１４のキーの動作が決定されるので、本実施例では、キーが２０×３＝６０個存在するのと同等の効果を持つ。
【００３８】
３１６は、液晶画面とタッチセンサの組合せから成るタッチパネルであり、各モード毎に個別の設定画面が表示され、さらに、描画されたキーに触れることで、各種の詳細な設定を行うことが可能である。
【００３９】
次に、本発明による制御処理手順を説明する。図４に、画像データの制御処理手順を示すシーケンスフローチャート（その１）を示す。
【００４０】
ステップＳ４０１で画像データを一時的に記憶しておく画像記憶メモリ１１２（図１）の記憶量を監視する。次にステップＳ４０２で、画像記憶メモリ１１２の記憶量が、後述する図５のフローチャートのステップＳ５０２で設定入力される設定量１を超えているか否かの判断を行う。設定量１を超えている場合はステップＳ４０３へ、超えていない場合はステップＳ４０４へそれぞれ進む。ステップＳ４０３へ進んだ場合は、転送設定優先順序の設定に応じて優先順序の高いデータを画像記憶メモリ１１２からハードディスク１０８に移動し、ステップＳ４０１に戻る。
【００４１】
ステップＳ４０４に進んだ場合は、画像記憶メモリ１１２の記憶量は、設定量２より少ないか否かの判断を行う。少ない場合はステップＳ４０５へ、多い場合はステップＳ４０１へ戻る。ステップＳ４０５へ進んだ場合は、ハードディスク１０８に画像記憶メモリ１１２から移動したデータがあるか否かの判断を行う。移動したデータがある場合はステップＳ４０６へ進み、無い場合はステップＳ４０１へ戻る。
【００４２】
ステップＳ４０６では、再転送設定優先順序に応じて優先順序の高いデータのデータサイズをチェックする。次にステップＳ４０７でチェックしたデータを移動しても画像記憶メモリ１１２の記憶量は設定量１を超えないか否かの判断を行う。超えないと判断した場合はステップＳ４０８へ進み、超えると判断した場合はステップＳ４０１へ戻る。ステップＳ４０８へ進んだ場合は、再転送設定優先順序に応じて優先順序の高いデータをハードディスク１０８から画像記憶メモリ１１２に移動し、ステップＳ４０１へ戻る。
【００４３】
図５は、図４の制御手順の説明で述べた、ステップＳ４０２の設定量１、ステップＳ４０４の設定量２、ステップＳ４０３の転送設定優先順序、ステップＳ４０６の再転送設定優先順序の各設定入力処理のための処理手順シーケンスフローチャート（その１）である。
【００４４】
ステップＳ５０１で、操作部１０２またはコンピュータインタフェース部１０７を通して、パーソナルコンピュータ又はワークステーション（ＰＣ／ＷＳ）１１０からの設定の入力の監視を行う。設定の入力があった場合は、ステップＳ５０２へ進み設定量１の設定であった場合はステップＳ５０６へ、設定量１の設定ではない場合はステップＳ５０３へそれぞれ進む。
【００４５】
ステップＳ５０３へ進んだ場合は、設定量２の設定か否か判断を行い、設定量２の設定であった場合はステップＳ５０８へ、設定量２の設定でない場合はステップＳ５０４へそれぞれ進む。ステップＳ５０４へ進んだ場合は、転送設定優先順序の設定か否か判断を行い、転送設定優先順序の設定であった場合はステップＳ５１０へ、転送設定優先順序の設定ではない場合はステップＳ５０５へそれぞれ進む。ステップＳ５０５へ進んだ場合は、再転送設定優先順序の設定か否か判断を行い、再転送設定優先順序の設定であった場合はステップＳ５１１へ進み、再転送設定優先順序の設定ではない場合はステップＳ５０１に戻る。
【００４６】
ステップＳ５０６に進んだ場合は、ステップＳ５０１で入力された値は設定量２より大きいか否かの判断を行う。大きいと判断した場合はステップＳ５０７へ、小さいと判断した場合は設定を受付けずステップＳ５０１へ戻る。ステップＳ５０７へ進んだ場合は、ステップＳ５０１で入力された値を設定量１に設定し、ステップＳ５０１へ戻る。
【００４７】
ステップＳ５０８に進んだ場合は、ステップＳ５０１で入力された値は設定量１より小さいか否かの判断を行う。小さいと判断した場合は、ステップＳ５０９へ、大きいと判断した場合は設定を受付けずステップＳ５０１へ戻る。
【００４８】
ステップＳ５０９へ進んだ場合は、ステップＳ５０１で入力された値を設定量２に設定し、ステップＳ５０１へ戻る。ステップＳ５１０に進んだ場合は、ステップＳ５０１で入力された優先順序を、転送設定優先順序に設定する。優先順序は、日付順、使用頻度順、サイズ順の設定ができる。設定が終わるとステップＳ５０１へ戻る。
【００４９】
ステップＳ５１１に進んだ場合は、ステップＳ５０１で入力された優先順序を再転送設定優先順序に設定する。優先順序は日付順、使用頻度順、サイズ順の設定ができる。設定が終わるとステップＳ５０１へ戻る。
【００５０】
これらの制御により、画像記憶メモリ１１２上には、優先度の高いデータのみ残すようになり、一定領域は、新たなデータのための領域として空けておくことができ、画像記憶メモリ不足になる可能性が減る。また優先度の高いデータを、画像記憶メモリ１１２に残すことにより、画像記憶メモリ１１２は、ハードディスク１０８に比べ読書き速度が高いためデータの読書きの処理を素早く行える効果がある。
【００５１】
また、ここで述べたハードディスク１０８の読書きは、コンピュータインタフェース部１０７を通して、パーソナルコンピュータ又はワークステーション（ＰＣ／ＷＳ）１１０上の記憶メモリもしくはハードディスクに置き換えてもよい。
【００５２】
（第２実施例）
次に、本発明に係る第２実施例の制御手順を説明する。図６は、本第２実施例の画像データの制御処理手順シーケンスフローチャート（その２）である。
【００５３】
ステップＳ６０１で画像データを一時的に記憶しておくハードディスク１０８（図１）の記憶量を監視する。次にステップＳ６０２でハードディスク１０８の記憶量が後述する図７のフローチャートの所で設定入力される設定量１を超えているか否かの判断を行う。設定量１を超えている場合はステップＳ６０３へ、超えていない場合はステップＳ６０４へそれぞれ進む。
【００５４】
ステップＳ６０３へ進んだ場合は、転送設定優先順序の設定に応じて優先順序の高いデータをハードディスク１０８からコンピュータインタフェース部１０７を通して後述する図７の設定入力のところで予め指定されているパーソナルコンピュータ又はワークステーション（ＰＣ／ＷＳ）１１０上に移動しステップＳ６０１に戻る。
【００５５】
ステップＳ６０４に進んだ場合は、ハードディスク１０８の記憶量は、設定量２より少ないか否かの判断を行う。少ない場合は、ステップＳ６０５へ、多い場合はステップＳ６０１へ戻る。ステップＳ６０５へ進んだ場合は、予め指定されているパーソナルコンピュータ又はワークステーション（ＰＣ／ＷＳ）１１０上に、ハードディスク１０８から移動したデータがあるか否かの判断を行う。移動したデータがある場合は、ステップＳ６０６へ進み、無い場合はステップＳ６０１へ戻る。
【００５６】
ステップＳ６０６では、再転送設定優先順序に応じて優先順序の高いデータのデータサイズをチェックする。次にステップＳ６０７でチェックしたデータを移動しても、ハードディスク１０８の記憶量は設定量１を超えないか否かの判断を行う。超えないと判断した場合はステップＳ６０８へ進み、超えると判断した場合はステップＳ６０１へ戻る。
【００５７】
ステップＳ６０８へ進んだ場合は、再転送設定優先順序に応じて優先順序の高いデータを予め指定されているパーソナルコンピュータ又はワークステーション（ＰＣ／ＷＳ）１１０上からコンピュータインタフェース部１０７を通してハードディスク１０８に移動し、ステップＳ６０１へ戻る。
【００５８】
図７は、図６の本第２実施例の制御手順の説明で述べた、ステップＳ６０１の設定量１、ステップＳ６０４の設定量２、ステップＳ６０３の転送設定優先順序、ステップＳ６０８の再転送設定優先順序、指定ホストの各設定入力処理のための処理手順シーケンスフローチャート（その２）である。
【００５９】
ステップＳ７０１で操作部１０２またはコンピュータインタフェース部１０７を通してパーソナルコンピュータ又はワークステーション（ＰＣ／ＷＳ）１１０からの設定の入力の監視を行う。設定の入力があった場合はステップＳ７０２へ進み、設定量１の設定であった場合は、ステップＳ７０６へ、設定量１の設定ではない場合は、ステップＳ７０３へそれぞれ進む。
【００６０】
ステップＳ７０３へ進んだ場合は、設定量２の設定か否か判断を行い、設定量２の設定であった場合はステップＳ７０８へ、設定量２の設定でない場合はステップＳ７０４へそれぞれ進む。ステップＳ７０４へ進んだ場合は、転送設定優先順序の設定か否か判断を行い、転送設定優先順序の設定であった場合は、ステップＳ７１０へ、転送設定優先順序の設定ではない場合は、ステップＳ７０５へそれぞれ進む。ステップＳ７０５へ進んだ場合は、再転送設定優先順序の設定か否か判断を行い、再転送設定優先順序の設定であった場合はステップＳ７１１へ進み、再転送設定優先順序の設定ではない場合は、ステップＳ７１２へ進む。
【００６１】
ステップＳ７０６に進んだ場合は、ステップＳ７０１で入力された値は、設定量２より大きいか否かの判断を行う。大きいと判断した場合はステップＳ７０７へ、小さいと判断した場合は、設定を受付けずステップＳ７０１へ戻る。ステップＳ７０７へ進んだ場合は、ステップＳ７０１で入力された値を設定量１に設定しステップＳ７０１へ戻る。
【００６２】
ステップＳ７０８に進んだ場合は、ステップＳ７０１で入力された値は設定量１より小さいか否かの判断を行う。小さいと判断した場合は、ステップＳ７０９へ、大きいと判断した場合は設定を受付けずステップＳ７０１へ戻る。ステップＳ７０９へ進んだ場合は、ステップＳ７０１で入力された値を設定量２に設定し、ステップＳ７０１へ戻る。
【００６３】
ステップＳ７１０に進んだ場合は、ステップＳ７０１で入力された優先順序を転送設定優先順序に設定する。優先順序は日付順、使用頻度順、サイズ順の設定ができる。設定が終わるとステップＳ７０１へ戻る。
【００６４】
ステップＳ７１１に進んだ場合は、ステップＳ７０１で入力された優先順序を再転送設定優先順序に設定する。優先順序は日付順、使用頻度順、サイズ順の設定ができる。設定が終わるとステップＳ７０１へ戻る。
【００６５】
ステップＳ７１２に進んだ場合は、ホストの設定か否かの判断を行い、ホストの設定であった場合は、ステップＳ７１３へ、ホストの設定ではない場合はステップＳ７０１へ戻る。ステップＳ７１３へ進んだ場合は、ステップＳ７０１で入力されたホストを、指定ホストとして設定する。
【００６６】
これらの制御により、ハードディスク１０８上には、優先度の高いデータのみ残すようになり、一定領域は、新たなデータのための領域として空けておくことができ、ハードディスク記憶容量不足になる可能性が減る。また優先度の高いデータをハードディスク１０８に残すことにより、ハードディスク１０８は、コンピュータインタフェース部１０７を通したパーソナルコンピュータ又はワークステーション（ＰＣ／ＷＳ）１１０上の記憶媒体に比べ、読書きの速度が高いため、データの読書きの処理を素早く行える効果がある。またホストを設定できるため、大きなデータをパーソナルコンピュータ又はワークステーション（ＰＣ／ＷＳ）１１０上の記憶媒体に分散して保存することができる。
【００６７】
（第３実施例）
次に、本発明による第３実施例の制御手順を説明する。図８は、本第３実施例の画像データの制御処理手順シーケンスフローチャート（その３）である。
【００６８】
ステップＳ８０１で画像データを一時的に記憶しておく画像記憶メモリ１１２の記憶量を監視する。次にステップＳ８０２で、画像記憶メモリ１１２の記憶量が先に述べた図４のフローチャートの所で設定入力される設定量１を超えているか否かの判断を行う。設定量１を超えている場合はステップＳ８０３へ、超えていない場合はステップＳ８０６へそれぞれ進む。
【００６９】
ステップＳ８０３へ進んだ場合は、転送設定優先順序の設定に応じて優先順序の高いデータを画像記憶メモリ１１２から検索し、ステップＳ８０４へ進む。ステップＳ８０４では、ステップＳ８０３で検索したデータが、ハードディスク１０８上に存在するか否かの判断を行う。存在しない場合はステップＳ８０５へ進み、存在する場合は、ステップＳ８０１へ戻る。ステップＳ８０５へ進んだ場合は、ステップＳ８０３で検索したデータを、ハードディスク１０８にコピーし、ステップＳ８０１へ戻る。
【００７０】
ステップＳ８０６に進んだ場合は、画像記憶メモリ１１２の記憶量は、設定量２より少ないか否かの判断を行う。少ない場合は、ステップＳ８０７へ、多い場合はステップＳ８０１へ戻る。ステップＳ８０７へ進んだ場合は、ハードディスク１０８に画像記憶メモリ１１２から移動したデータがあるか否かの判断を行う。移動したデータがある場合は、ステップＳ８０８へ進み、無い場合はステップＳ８０１へ戻る。
【００７１】
ステップＳ８０８では、再転送設定優先順序に応じて優先順序の高いデータで、かつ同じデータが画像記憶メモリ１１２上に存在しないデータのデータサイズをチェックする。次に、ステップＳ８０９でチェックしたデータを移動しても画像記憶メモリ１１２の記憶量は、設定量１を超えないか否かの判断を行う。超えないと判断した場合は、ステップＳ８１０へ進み、超えると判断した場合はステップＳ８０１へ戻る。ステップＳ８１０へ進んだ場合は、再転送設定優先順序に応じて優先順序の高いデータをハードディスク１０８から画像記憶メモリ１１２に移動し、ステップＳ８０１へ戻る。
【００７２】
図８の制御手順の説明で述べた、設定量１、設定量２、転送設定優先順序、再転送設定優先順序の各設定入力処理のための処理手順は、前記第１実施例における図５と同じである。
【００７３】
これらの制御により、画像記憶メモリ１１２とハードディスク１０８とに、優先度の高い同じデータを複数持つことができ、データ破壊等の危険性を減らすことができる。また優先度の高いデータを、画像記憶メモリ１１２にも残すことにより、画像記憶メモリ１１２は、ハードディスク１０８に比べ読書きの速度が高いため、データの読書き処理を素早く行える効果がある。さらに、ハードディスク１０８上に存在し、画像記憶メモリ１１２上には存在しない優先順序の高いデータを、自動的に画像記憶メモリ１１２上に移動することにより、画像記憶メモリ１１２は、ハードディスク１０８に比べ読書きの速度が高いため、データの読書きの処理を素早く行える効果がある。
【００７４】
また、ここで述べたハードディスク１０８の読書きは、コンピュータインタフェース部１０７を通してパーソナルコンピュータ又はワークステーション（ＰＣ／ＷＳ）１１０上の記憶メモリもしくはハードディスクに置き換えても差支えない。
【００７５】
なお、上述した、データを画像記憶メモリ１１２からハードディスク１０８に移動するとは、画像記憶メモリ１１２に記憶された画像データをハードディスク１０８に記憶し、ハードディスク１０８に記憶した該画像データを画像記憶メモリ１１２から削除する処理を行うことである。
【００７６】
また、データをハードディスク１０８から画像記憶メモリ１１２に移動するとは、ハードディスク１０８に記憶された画像データを画像記憶メモリ１１２に記憶し、画像記憶メモリ１１２に記憶した該画像データをハードディスク１０８から削除する処理を行うことである。
【００７７】
【発明の効果】
以上、説明したように、請求項１、９記載の本発明によれば、画像データを入力する画像入力手段と、前記画像入力手段により入力された画像データを記憶可能な第１の記憶手段および第２の記憶手段と、を備えた画像処理装置の前記第１の記憶手段のデータの記憶量が所定量を超えた場合に、操作手段を介してユーザから受付けた、優先度の高いデータを前記第１記憶手段から前記第２の記憶手段へ転送する為の、第１の設定に基づいた優先度の高いデータを、前記第１の記憶手段から前記第２の記憶手段へ転送させ、且つ、該第１の記憶手段の該優先度の高いデータを該第１の記憶手段から削除させる、制御手段と、を備え、前記画像処理装置は、前記第１の記憶手段のデータの記憶量が前記所定量を超えていない場合で且つ前記第１の記憶手段から前記第２の記憶手段に転送したデータが存在する場合に、前記第１の記憶手段から転送されたデータであり、且つ、前記第１の設定をユーザから受付ける前記操作手段と同じ操作手段を介してユーザから受付けた、優先度の高いデータを前記第２記憶手段から前記第１の記憶手段へ転送する為の、第２の設定に基づいた優先度の高いデータを、前記第２の記憶手段から前記第１の記憶手段へ転送させ、且つ、該第２の記憶手段からの該優先度の高いデータを該第１の記憶手段に記憶させ、また、請求項２、１０記載の本発明によれば、画像データを入力する画像入力手段と、前記画像入力手段により入力された画像データを記憶可能な記憶手段と、外部装置とデータ通信を行う通信手段と、を備えた画像処理装置の前記記憶手段のデータの記憶量が所定量を超えた場合に、操作手段を介してユーザから受付けた、優先度の高いデータを前記記憶手段から前記外部装置へ転送する為の、第１の設定に基づいた優先度の高いデータを、前記画像処理装置が具備する前記記憶手段から前記外部装置へ転送させ、且つ、前記画像処理装置の前記記憶手段の該優先度の高いデータを該記憶手段から削除させる、制御手段と、を備え、前記画像処理装置は、前記画像処理装置が具備する前記記憶手段のデータの記憶量が前記所定量を超えていない場合で且つ前記画像処理装置から前記外部装置に転送したデータが存在する場合に、前記画像処理装置から転送されたデータであり、且つ、前記第１の設定をユーザから受付ける前記操作手段と同じ操作手段を介してユーザから受付けた、優先度の高いデータを前記外部装置から前記画像処理装置へ転送する為の、第２の設定に基づいた優先度の高いデータを、前記外部装置から前記画像処理装置へ転送させ、且つ、該外部装置からの該優先度の高いデータを前記画像処理装置が具備する前記記憶手段に記憶させるので、従来技術の課題で指摘したような「メモリやハードディスクに空きができるまで、クライアントからの処理を待たせることになり、クライアントであるユーザや他のホストコンピュータの処理を中断させることになり、プリントの生産性を低下させていた」問題点の解消が図れ、「メモリには、優先度の高いデータを残し、一定領域は、新たなデータのための領域として空けておく」こともでき、記憶領域の有効活用が図れ、前記第１の設定も前記第２の設定も同じ操作手段を介してユーザから受けることで、メモリから転送させるデータも、そのメモリへ再転送させる対象のデータも、その操作手段を介してユーザから受けたそれぞれの設定に基づいた優先度の高いデータとすることができ、柔軟な運用ができる。
【図面の簡単な説明】
【図１】  第１実施例の画像入出力装置の構成ブロック図
【図２】  リーダ部及びプリンタ部の断面図
【図３】  ディジタル複写機の操作部のキー配列
【図４】  第１実施例の画像データ制御処理手順シーケンスフローチャート（その１）
【図５】  第１実施例の設定入力制御処理手順シーケンスフローチャート（その１）
【図６】  第２実施例の画像データ制御処理手順シーケンスフローチャート（その２）
【図７】  第２実施例の設定入力制御処理手順シーケンスフローチャート（その２）
【図８】  第３実施例の画像データ制御処理手順シーケンスフローチャート（その３）
【符号の説明】
１０１  画像入出力装置
１０２  操作部
１０３  リーダ部
１０４  プリンタ部
１０５  画像入出力制御部
１０６  ファクシミリ部
１０７  コンピュータインタフェース部
１０８  ハードディスク
１０９  制御部
１１０  パーソナルコンピュータ／ワークステーション
１１１  ネットワークスキャナ
１１２  画像記憶メモリ
２０１  原稿給送装置
２０２  プラテンガラス
２０３  ランプ
２０４  スキャナユニット
２０８  レンズ
２０９  ＣＣＤイメージセンサ
２１０  レーザ発光部
２１１  感光ドラム
２１２  現像器
２１５  転写部
２１６  定着部
２１７  排出ローラ
２２０  ソータ
３０１  主電源ランプ
３０３  コピーモードキー
３０５  プリントキー
３０６  コピースタートキー
３１２  テンキー
【図１】
0004174110.tif 000002
【図２】
0004174110.tif 000003
【図３】
0004174110.tif 000004
【図４】
0004174110.tif 000005
【図５】
0004174110.tif 000006
【図６】
0004174110.tif 000007
【図７】
0004174110.tif 000008
【図８】
0004174110.tif 000009